(57)【要約】【課題】増幅装置の温度上昇を防止すること。【解決手段】  音声信号を増幅するＡＶアンプ１は、設定値以下に音声信号のダイナミックレンジをコントロールするＰＷＭ変調器５と、消費電流に応じて、設定値を設定するマイクロコンピューター２と、を備える。マイクロコンピューター２は、消費電流が所定の閾値（４．９Ａ、又は、３．６Ａ）以上である状態が、所定時間（２分間、又は、７．５分間）連続した場合に、設定値を所定値（−３５ｄＢ）に設定する。【選択図】図１
2018033019.tif 000002
【特許請求の範囲】
【請求項１】
音声信号を増幅する増幅装置であって、
設定値以下に前記音声信号のダイナミックレンジをコントロールする信号処理部と、
消費電流に応じて、前記設定値を設定する制御部と、
を備えることを特徴とする増幅装置。
【請求項２】
前記制御部は、前記消費電流が所定の閾値以上である場合に、前記設定値を所定値に設定することを特徴とする請求項１に記載の増幅装置。
【請求項３】
前記制御部は、前記消費電流が前記所定の閾値以上である状態が、所定時間連続した場合に、前記設定値を前記所定値に設定することを特徴とする請求項２に記載の増幅装置。
【請求項４】
前記消費電流を検出するための検出回路をさらに備え、
前記検出回路は、前記消費電流を、前記消費電流に応じた電圧に変換し、
前記制御部は、前記検出回路が変換した電圧に応じて、前記設定値を設定することを特徴とする請求項１〜３のいずれか１項に記載の増幅装置。
【請求項５】
各部に電源電圧を供給するスイッチング電源をさらに備えることを特徴とする請求項１〜４のいずれか１項に記載の増幅装置。
【請求項６】
前記制御部は、前記消費電流に応じて、前記設定値を１ｄＢずつ変更することを特徴とする請求項１に記載の増幅装置。
【請求項７】
前記消費電流を検出するための検出回路をさらに備え、
前記信号処理部は、ＰＷＭ変調器であり、
前記制御部は、前記検出回路が異常であると感知した場合、前記ＰＷＭ変調器の出力を停止することを特徴とする請求項１〜３、５、６のいずれか１項に記載の増幅装置。
【発明の詳細な説明】
【技術分野】
【０００１】
本発明は、音声信号を増幅する増幅装置に関する。
【背景技術】
【０００２】
音声信号を増幅する増幅装置を含むオーディオ機器は、各国安全規格によって、温度上昇上限が規定されている。また、増幅装置は、各国の機関によって、最大出力の測定方法が定められている。例えば、ＩＥＣ（International Electrotechnical Commission）規格では、巻線の温度上昇上限は、１５０℃である。また、米国のＦＴＣ（Federal Trade Commission）規格では、２チャンネル出力の場合、定格の１／８出力で２チャンネルドライブ１時間エージングした後、定格出力で２チャンネル５分間連続出力し、その直後の出力を測定するとされている。測定中、増幅装置の各部品は、温度上昇を続けることになる。ＦＴＣ規格の場合、５分後に測定を完了し、出力を下げれば、温度上昇は止まる。
【０００３】
なお、出願人は、増幅装置の温度上昇を防止するため、供給電圧の切替、ボリュームの調整を行う発明を特許出願している（特許文献１参照。）。
【先行技術文献】
【特許文献】
【０００４】
【特許文献１】特開２０１５−１２２６７４号公報
【発明の概要】
【発明が解決しようとする課題】
【０００５】
ＩＥＣ規格による安全規格限度値では、連続運転を行うことができる最大信号レベルで増幅装置の運転を行わなければならないとされている。このため、最大出力で連続運転を行うと、温度は上昇し続け、いずれ安全規格限度値に達するという問題がある。
【０００６】
本発明の目的は、増幅装置の温度上昇を防止することである。
【課題を解決するための手段】
【０００７】
第１の発明の増幅装置は、音声信号を増幅する増幅装置であって、設定値以下に前記音声信号のダイナミックレンジをコントロールする信号処理部と、消費電流に応じて、前記設定値を設定する制御部と、を備えることを特徴とする。
【０００８】
本発明では、制御部は、消費電流に応じて、信号処理部によるダイナミックレンジコントロールの設定値を設定する。これにより、消費電流に応じて、音声信号のダイナミックレンジ（出力）が抑えられるため、温度上昇を防止することができる。
【０００９】
また、ダイナミックレンジコントロールにより温度上昇を防止しているため、音声信号がクリップすることがなく、音質を保つことができる。ここで、ボリューム制御で出力を小さくする場合、大きな音も小さな音も小さくしてしまうため、全体の音量感も小さくなってしまう。ダイナミックレンジコントロールにより出力を小さくする場合、設定値を超えた大きな音のみ小さくし、設定値を超えない音は小さくしないため、全体の音量感が小さくならない。また、セリフ等の小さな音はそのままのため、ユーザーに聞こえにくくなることがない。
【００１０】
第２の発明の増幅装置は、第１の発明の増幅装置において、前記制御部は、前記消費電流が所定の閾値以上である場合に、前記設定値を所定値に設定することを特徴とする。
【００１１】
本発明では、制御部は、消費電流が所定の閾値以上である場合に、設定値を所定値に設定する。これにより、音声信号のダイナミックレンジが所定値以下に抑えられるため、温度上昇を防止することができる。
【００１２】
第３の発明の増幅装置は、第２の発明の増幅装置において、前記制御部は、前記消費電流が前記所定の閾値以上である状態が、所定時間連続した場合に、前記設定値を前記所定値に設定することを特徴とする。
【００１３】
消費電流が所定の閾値以上である状態が、所定時間連続すると、増幅装置を構成する部品（例えば、巻線）の温度が、安全規格限度値に上昇する。従って、本発明では、温度上昇を防止するため、制御部は、消費電流が所定の閾値以上である状態が、所定時間連続した場合に、設定値を所定値に設定する。
【００１４】
第４の発明の増幅装置は、第１〜第３のいずれかの発明の増幅装置において、前記消費電流を検出するための検出回路をさらに備え、前記検出回路は、前記消費電流を、前記消費電流に応じた電圧に変換し、前記制御部は、前記検出回路が変換した電圧に応じて、前記設定値を設定することを特徴とする。
【００１５】
第５の発明の増幅装置は、第１〜第４のいずれかの発明の増幅装置において、各部に電源電圧を供給するスイッチング電源をさらに備えることを特徴とする。
【００１６】
本発明では、各部に電源電圧を供給するスイッチング電源をさらに備える。ここで、スイッチング電源は、過電流保護回路を備え、消費電流がスイッチング電源の容量を超えると、電源が落ちるという問題がある。本発明では、消費電流に応じて、音声信号のダイナミックレンジ（出力）が抑えられるため、電源が落ちることが防止される。また、スイッチング電源は、ノイズ対策用にコモンモードフィルターが用いられるが、温度ヒューズ等の過熱保護が設けられていない場合がある。このような場合でも、本発明では、温度上昇を防止することができる。
【００１７】
第６の発明の増幅装置は、第１の発明の増幅装置において、前記制御部は、前記消費電流に応じて、前記設定値を１ｄＢずつ変更することを特徴とする。
【００１８】
本発明では、制御部は、消費電流に応じて、設定値を１ｄＢずつ変更する。これにより、音声信号のダイナミックレンジが急激に変化することがない。
【００１９】
第７の発明は、第１〜第３、第５、第６のいずれかの発明の増幅装置において、前記消費電流を検出するための検出回路をさらに備え、前記信号処理部は、ＰＷＭ変調器であり、前記制御部は、前記検出回路が異常であると感知した場合、前記ＰＷＭ変調器の出力を停止することを特徴とする。
【００２０】
本発明では、制御部は、検出回路が異常であると感知した場合、ＰＷＭ変調器の出力を停止し、検出回路が故障した場合に備えた安全上のフェールセーフを行う。ここで、検出回路の異常とは、検出電流値が、ＰＷＭ変調器の無信号時の電流値以下である場合、検出回路に含まれるオペアンプの出力電圧値が、最低出力電圧以下を示した場合等をいう。
【発明の効果】
【００２１】
本発明によれば、増幅装置の温度上昇を防止することができる。
【図面の簡単な説明】
【００２２】
【図１】本発明の実施形態に係るＡＶアンプの構成を示すブロック図である。
【図２】検出回路の回路構成を示す図である。
【図３】消費電流と、マイクロコンピューターのＡ／Ｄポートに入力される入力値と、設定値と、の関係を示す図である。
【図４】ＤＲＣ機能のステップと、設定値と、の関係を示す図である。
【図５】温度上昇を防止するための処理を示すフローチャートである。
【図６】温度上昇を防止するための処理を示すフローチャートである。
【図７】温度上昇を防止するための処理を示すフローチャートである。
【発明を実施するための形態】
【００２３】
以下、本発明の実施形態について説明する。図１は、本実施形態に係るＡＶアンプの構成を示すブロック図である。ＡＶアンプ１（増幅装置）は、入力される音声信号を増幅してスピーカー８に出力する。ＡＶアンプ１は、６チャンネルの音声信号を増幅可能である。図１に示すように、ＡＶアンプ１は、マイクロコンピューター２、表示部３、操作部４、ＰＷＭ変調器５、検出回路６、スイッチング電源７を備える。
【００２４】
マイクロコンピューター２（制御部）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、ＡＶアンプ１を構成する各部を制御する。すなわち、マイクロコンピューター２は、ＡＶアンプ１を構成する各部を制御する。ＲＡＭは、ＣＰＵ２の主メモリとして機能する。
【００２５】
表示部３は、設定画面、音量レベルなどを表示するものである。表示部３は、ＬＣＤ（液晶ディスプレイ）や蛍光表示管等から構成されている。操作部４は、ユーザー操作を受け付けるためのものである。操作部４は、ＡＶアンプ１の筐体に設けられた操作ボタン、リモートコントローラーにより構成されている。
【００２６】
ＰＷＭ変調器５（信号処理部）は、音声信号にＰＷＭ変調を行う。ＰＷＭ変調された音声信号は、スピーカー８に出力される。ここで、ＰＷＭ変調器５は、ダイナミックレンジコントロール（以下、「ＤＲＣ」という。）等の信号処理機能を有する。
【００２７】
検出回路６は、ＡＶアンプ１の消費電流を検出するための回路である。検出回路６は、消費電流を、消費電流に応じた電圧に変換する。図２は、検出回路６の回路構成を示す図である。検出回路６は、抵抗Ｒ１〜Ｒ８、コンデンサＣ１、Ｃ２、ツェナーダイオードＺＤ１、オペアンプＯＰ１を有する。抵抗Ｒ１、Ｒ２は、検出抵抗である。抵抗Ｒ１の一端は、ＰＶＤＤ端子に接続されている。抵抗Ｒ１の他端は、ＶＢ端子に接続されている。ＰＶＤＤ端子に消費電流が入力される。ＶＢ端子に電源電圧が入力される。抵抗Ｒ２は、抵抗Ｒ１に並列に接続されている。抵抗Ｒ３の一端は、抵抗Ｒ２の一端に接続されている。抵抗Ｒ３の他端は、オペアンプＯＰ１の反転入力端子に接続されている。抵抗Ｒ４の一端は、抵抗Ｒ２の他端に接続されている。抵抗Ｒ４の他端は、オペアンプＯＰ１の非反転入力端子に接続されている。
【００２８】
抵抗Ｒ５の一端は、抵抗Ｒ４の他端とオペアンプＯＰ１の非反転入力端子との間に接続されている。抵抗Ｒ５の他端は、グラウンドＧＮＤに接続されている。抵抗Ｒ６は、帰還抵抗である。抵抗Ｒ６は、オペアンプＯＰ１の反転入力端子と、オペアンプＯＰ１の出力端子と、に接続されている。抵抗Ｒ７の一端は、オペアンプＯＰ１の出力端子に接続されている。抵抗Ｒ７の他端は、ＶＡＤＣ端子に接続されている。ＶＡＤＣ端子は、マイクロコンピューター２のＡ／Ｄポートに接続されている。抵抗Ｒ８の一端は、抵抗Ｒ７の他端とＶＡＤＣ端子との間に接続されている。抵抗Ｒ８の他端は、グラウンドＧＮＤに接続されている。
【００２９】
オペアンプＯＰ１は、電流を電圧に変換する。コンデンサＣ１の一端は、抵抗Ｒ７の他端とＶＡＤＣ端子との間に接続されている。コンデンサＣ１の他端は、グラウンドＧＮＤに接続されている。コンデンサＣ２の一端は、抵抗Ｒ７の他端とＶＡＤＣ端子との間に接続されている。コンデンサＣ２の他端は、グラウンドＧＮＤに接続されている。ツェナーダイオードＺＤ１は、オペアンプＯＰ１の出力電圧を制限する。ツェナーダイオードＺＤ１により、オペアンプＯＰ１の出力電圧が制限されることにより、マイクロコンピューター２のＡ／Ｄポートの破壊が防止される。ツェナーダイオードＺＤ１のカソードは、抵抗Ｒ７の他端とＶＡＤＣ端子との間に接続されている。ツェナーダイオードＺＤ１のアノードは、グラウンドＧＮＤに接続されている。上述のように、ＶＡＤＣ端子は、マイクロコンピューター２のＡ／Ｄポートに接続されているため、消費電流に応じた電圧が、マイクロコンピューター２のＡ／Ｄポートに入力される。
【００３０】
スイッチング電源７は、増幅装置１を構成する各部に電源電圧を供給する。スイッチング電源７は、一次側の整流回路、一次側の平滑回路、スイッチング素子、スイッチング素子を制御する制御回路、トランス、二次側の整流回路、二次側の平滑回路等を有する。
【００３１】
図３は、消費電流と、マイクロコンピューター２のＡ／Ｄポートに入力される入力値と、設定値（後述）と、の関係を示す図である。図２に示すように、消費電流が、５．４Ａの場合、Ａ／Ｄポートには、１．６Ｖの電圧が入力される。また、消費電流が、２．９Ａの場合、Ａ／Ｄポートには、０．９Ｖの電圧が入力される。
【００３２】
上述したように、ＰＷＭ変調器５は、ＤＲＣ機能を有する。ＤＲＣ機能は、設定値以下に音声信号のダイナミックレンジをコントロールする機能である。マイクロコンピューター２は、消費電流に応じて、すなわち、Ａ／Ｄポートに入力される電圧に応じて、ＰＷＭ変調器５によるＤＲＣ機能の設定値を設定する。図３に示すように、マイクロコンピューター２は、消費電流が５．４Ａ以上である場合、ＤＲＣ機能の設定値を−２５ｄＢに設定する。また、消費電流が２．９Ａ以下である場合、ＤＲＣ機能の設定値を−３２ｄＢに設定する。なお、マイクロコンピューター２は、ＰＷＭ変調器５のレジスタに値をセットすることにより、ＤＲＣ機能の設定値を設定する。
【００３３】
図４は、ＤＲＣ機能のステップと、設定値と、の関係を示す図である。図４に示すように、ステップ０が、設定値−２５．０ｄＢに対応する。ステップ６が、設定値−３５．０ｄＢに対応する。マイクロコンピューター２は、消費電流に応じて、基本的に、１ステップ毎に、ステップ（設定値）を上げたり下げたりする。ここで、マイクロコンピューター２は、ステップ０からステップ１、及び、ステップ１からステップ０に移行する場合は、設定値を３ｄＢ上げたり下げたりする（±３ｄＢ）。また、マイクロコンピューター２は、ステップ１からステップ５までにおいては、設定値を１ｄＢ上げたり下げたりする（±１ｄＢ）。また、マイクロコンピューター２は、ステップ５からステップ６、及び、ステップ６からステップ５に移行する場合は、設定値を３ｄＢ上げたり下げたりする（±３ｄＢ）。
【００３４】
以下、温度上昇を防止するための処理を、図５〜図７に示すフローチャートに基づいて説明する。マイクロコンピューター２は、検出回路６をチェックする（Ｓ１）。次に、マイクロコンピューター２は、検出回路６が異常であるか否かを判断する（Ｓ２）。ここで、検出回路６の異常とは、検出電流値が、ＰＷＭ変調器５の無信号時の電流値以下である場合、検出回路６に含まれるオペアンプＯＰ１の出力電圧値が、最低出力電圧以下を示した場合等をいう。マイクロコンピューター２は、検出回路６が異常であると判断した場合（Ｓ２：Ｙｅｓ）、ＰＷＭ変調器の出力を停止する（Ｓ３）。
【００３５】
マイクロコンピューター２は、検出回路６が異常でないと判断した場合（Ｓ２：Ｎｏ）、Ａ／Ｄポートを監視する（Ｓ４）。次に、マイクロコンピューター２は、消費電流が５．４Ａ以上であるか否かを判断する（Ｓ５）。ここで、消費電流５．４Ａは、合計出力１４０Ｗに相当する。マイクロコンピューター２は、消費電流が５．４Ａ以上であると判断した場合（Ｓ５：Ｙｅｓ）、ＤＲＣ機能のステップを１ステップ上げる（Ｓ６）。
【００３６】
次に、マイクロコンピューター２は、設定値が−３２ｄＢとなったか否かを判断する（Ｓ７）。マイクロコンピューター２は、設定値が−３２ｄＢとなっていないと判断した場合（Ｓ７：Ｎｏ）、Ｓ４の処理を実行する。マイクロコンピューター２は、設定値が−３２ｄＢとなったと判断した場合（Ｓ７：Ｙｅｓ）、電源がオフになったか否か、又は、ファンクションが切り替えられたか否かを判断する（Ｓ８）。マイクロコンピューター２は、電源がオフになっていない、且つ、ファンクションが切り替えられていないと判断した場合（Ｓ８：Ｎｏ）、Ｓ４の処理を実行する。
【００３７】
マイクロコンピューター２は、電源がオフになった、又は、ファンクションが切り替えられたと判断した場合（Ｓ８：Ｙｅｓ）、温度上昇を防止するための処理を解除し、ＤＲＣ機能の設定値を初期値に戻す（Ｓ９）。
【００３８】
マイクロコンピューター２は、消費電流が５．４Ａ以上でない、すなわち、５．４Ａ未満であると判断した場合（Ｓ５：Ｎｏ）、消費電流が４．９Ａ（閾値）以上であるか否かを判断する（Ｓ１０）。ここで、消費電流４．９Ａは、合計出力１２０Ｗに相当する。また、消費電流４．９Ａは、マイクロコンピューター２のＡ／Ｄポートに入力される電圧１．４Ｖに相当する。マイクロコンピューター２は、消費電流が４．９Ａ以上であると判断した場合（Ｓ１０：Ｙｅｓ）、消費電流が４．９Ａ以上である状態が、２分間（所定時間）連続しているか否かを判断する（Ｓ１１）。マイクロコンピューター２は、消費電流が４．９Ａ以上である状態が、２分間連続していないと判断した場合（Ｓ１１：Ｎｏ）、Ｓ４の処理を行う。
【００３９】
マイクロコンピューター２は、消費電流が４．９Ａ以上である状態が、２分間連続していると判断した場合（Ｓ１１：Ｙｅｓ）、表示部３に、過電流である旨を表示し、設定値を−３５ｄＢ（所定値）に設定する（Ｓ１２）。ここで、消費電流が４．９Ａ以上である状態が、２分間連続すると、巻線の温度が安全規格限度値に上昇する。従って、温度上昇を防止するため、設定値を−３５ｄＢに設定する。次に、マイクロコンピューター２は、電源がオフになったか否か、又は、ファンクションが切り替えられたか否かを判断する（Ｓ１３）。マイクロコンピューター２は、電源がオフになっていない、且つ、ファンクションが切り替えられていないと判断している間は（Ｓ１３：Ｎｏ）、Ｓ１３の処理を繰り返し実行する。マイクロコンピューター２は、電源がオフになった、又は、ファンクションが切り替えられたと判断した場合（Ｓ１３：Ｙｅｓ）、温度上昇を防止するための処理を解除し、ＤＲＣ機能の設定値を初期値に戻す（Ｓ１４）。
【００４０】
マイクロコンピューター２は、消費電流が４．９Ａ以上でない、すなわち、４．９Ａ未満であると判断した場合（Ｓ１０：Ｎｏ）、消費電流が３．６Ａ（閾値）以上であるか否かを判断する（Ｓ１５）。ここで、消費電流３．６Ａは、合計出力９０Ｗに相当する。また、消費電流３．６Ａは、マイクロコンピューター２のＡ／Ｄポートに入力される電圧１．０Ｖに相当する。マイクロコンピューター２は、消費電流が３．６Ａ以上であると判断した場合（Ｓ１５：Ｙｅｓ）、消費電流が３．６Ａ以上である状態が、７．５分間（所定時間）連続しているか否かを判断する（Ｓ１６）。マイクロコンピューター２は、消費電流が３．６Ａ以上である状態が、７．５分間連続していないと判断した場合（Ｓ１６：Ｎｏ）、Ｓ４の処理を行う。
【００４１】
マイクロコンピューター２は、消費電流が３．６Ａ以上である状態が、７．５分間連続していると判断した場合（Ｓ１６：Ｙｅｓ）、表示部３に、過電流である旨を表示し、設定値を−３５ｄＢ（所定値）に設定する（Ｓ１７）。ここで、消費電流が３．６Ａ以上である状態が、７．５分間連続すると、巻線の温度が１５０℃（安全規格限度値）に上昇する。従って、温度上昇を防止するため、設定値を−３５ｄＢに設定する。次に、マイクロコンピューター２は、電源がオフになったか否か、又は、ファンクションが切り替えられたか否かを判断する（Ｓ１８）。マイクロコンピューター２は、電源がオフになっていない、且つ、ファンクションが切り替えられていないと判断している間は（Ｓ１８：Ｎｏ）、Ｓ１８の処理を繰り返し実行する。マイクロコンピューター２は、電源がオフになった、又は、ファンクションが切り替えられたと判断した場合（Ｓ１８：Ｙｅｓ）、温度上昇を防止するための処理を解除し、ＤＲＣ機能の設定値を初期値に戻す（Ｓ１９）。
【００４２】
マイクロコンピューター２は、消費電流が３．６Ａ以上でない、すなわち、３．６Ａ未満であると判断した場合（Ｓ１５：Ｎｏ）、消費電流が２．９Ａ以下であるか否かを判断する（Ｓ２０）。ここで、消費電流２．９Ａは、合計出力７０Ｗに相当する。マイクロコンピューター２は、消費電流が２．９Ａ以下でない、すなわち、２．９Ａよりも大きいと判断した場合（Ｓ２０：Ｎｏ）、Ｓ１の処理を実行する。マイクロコンピューター２は、消費電流が２．９Ａ以下であると判断した場合（Ｓ２０：Ｙｅｓ）、ＤＲＣ機能のステップを１ステップ下げる（Ｓ２１）。
【００４３】
次に、マイクロコンピューター２は、電源がオフになったか否か、又は、ファンクションが切り替えられたか否かを判断する（Ｓ２２）。マイクロコンピューター２は、電源がオフになっていない、且つ、ファンクションが切り替えられていないと判断している間は（Ｓ２２：Ｎｏ）、Ｓ２２の処理を繰り返し実行する。マイクロコンピューター２は、電源がオフになった、又は、ファンクションが切り替えられたと判断した場合（Ｓ２２：Ｙｅｓ）、温度上昇を防止するための処理を解除し、ＤＲＣ機能の設定値を初期値に戻す（Ｓ２３）。
【００４４】
以上説明したように、マイクロコンピューター２は、消費電流に応じて、ＰＷＭ変調器５によるＤＲＣ機能の設定値を設定する。これにより、消費電流に応じて、音声信号のダイナミックレンジ（出力）が抑えられるため、温度上昇を防止することができる。
【００４５】
また、ＤＲＣ機能により温度上昇を防止しているため、音声信号がクリップすることがなく、音質を保つことができる。ここで、ボリューム制御で出力を小さくする場合、大きな音も小さな音も小さくしてしまうため、全体の音量感も小さくなってしまう。ＤＲＣ機能により出力を小さくする場合、設定値を超えた大きな音のみ小さくし、設定値を超えない音は小さくしないため、全体の音量感が小さくならない。また、セリフ等の小さな音はそのままのため、ユーザーに聞こえにくくなることがない。
【００４６】
また、本実施形態では、マイクロコンピューター２は、消費電流が４．９Ａ（所定の閾値）、又は、３．６Ａ（所定の閾値）以上である場合に、設定値を−３５ｄＢ（所定値）に設定する。これにより、音声信号のダイナミックレンジが−３５ｄＢ以下に抑えられるため、温度上昇を防止することができる。
【００４７】
ここで、消費電流が４．９Ａ以上である状態が、２分間（所定時間）連続すると、巻線の温度が安全規格限度値に上昇する。従って、温度上昇を防止するため、設定値を−３５ｄＢに設定する。
【００４８】
また、消費電流が３．６Ａ以上である状態が、７．５分間（所定時間）連続すると、例えば、巻線の温度が、安全規格限度値に上昇する。従って、本実施形態では、温度上昇を防止するため、マイクロコンピューター２は、消費電流が３．６Ａ以上である状態が、７．５分間連続した場合に、設定値を−３５ｄＢに設定する。
【００４９】
また、本実施形態では、各部に電源電圧を供給するスイッチング電源７をさらに備える。ここで、スイッチング電源７は、過電流保護回路を備え、消費電流がスイッチング電源７の容量を超えると、電源が落ちるという問題がある。本実施形態では、消費電流に応じて、音声信号のダイナミックレンジ（出力）が抑えられるため、電源が落ちることが防止される。また、スイッチング電源７は、ノイズ対策用にコモンモードフィルターが用いられるが、温度ヒューズ等の過熱保護が設けられていない場合がある。このような場合でも、本実施形態では、温度上昇を防止することができる。
【００５０】
また、本実施形態では、マイクロコンピューター２は、基本的に、消費電流に応じて、設定値を１ｄＢずつ変更する。これにより、音声信号のダイナミックレンジが急激に変化することがない。
【００５１】
また、本実施形態では、マイクロコンピューター２は、検出回路６が異常であると感知した場合、ＰＷＭ変調器５の出力を停止し、検出回路６が故障した場合に備えた安全上のフェールセーフを行う。
【００５２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５３】
上述の実施形態における消費電流の連続時間（上述の実施形態では、２分間、７．５分間）、ＤＲＣ機能の設定値等の数値は、温度上昇、消費電流等に基づいて、適宜変更可能である。また、増幅装置が増幅可能な音声信号のチャンネル数は、６チャンネルに限られない。チャンネル数が変われば、ＤＲＣ機能の設定値も変更される。
【００５４】
上述の実施形態においては、ＰＷＭ変調器５がＤＲＣ機能を有し、ＰＷＭ変調器５が、音声信号のダイナミックレンジをコントロールするようになっている。これに限らず、ＤＲＣ機能を有するＤＳＰ（Digital Signal Processor）等が、音声信号のダイナミックレンジをコントロールするようになっていてもよい。
【産業上の利用可能性】
【００５５】
本発明は、音声信号を増幅する増幅装置に好適に採用され得る。
【符号の説明】
【００５６】
１  ＡＶアンプ（増幅装置）
２  マイクロコンピューター（制御部）
３  操作部
４  表示部
５  ＰＷＭ変調器（信号処理部）
６  検出回路
７  スイッチング電源
８  スピーカー
【図１】
2018033019.tif 000003
【図２】
2018033019.tif 000004
【図３】
2018033019.tif 000005
【図４】
2018033019.tif 000006
【図５】
2018033019.tif 000007
【図６】
2018033019.tif 000008
【図７】
2018033019.tif 000009